(57)【要約】【課題】衣類の状態を正確に反映した衣類情報記録装置を提供すること。【解決手段】衣類に付属され、当該衣類の識別情報が記録された商品タグ２と、前記商品タグ２に備えられた書き換え可能な情報記憶手段１２と、前記情報記憶手段１２から情報を取得する情報取得手段１４と、前記情報記憶手段１４へ情報を記録する情報記録手段１５とを備え、衣類洗濯装置１９により当該衣類の洗濯が終了する毎に前記情報記録手段１５に記録された洗濯回数を任意に増加させることより、１回の洗濯行程に対して洗濯回数を任意に増加させることとなり、衣類の状態を正確に反映した衣類情報記録装置を提供することができる。【選択図】図１
2005111038.tif 000002
【特許請求の範囲】
【請求項１】
衣類に付属され、当該衣類の識別情報が記録された商品タグと、前記商品タグに備えられた書き換え可能な情報記憶手段と、前記情報記憶手段から情報を取得する情報取得手段と、前記情報記憶手段へ情報を記録する情報記録手段とを備え、衣類洗濯装置により当該衣類の洗濯が終了する毎に前記情報記録手段に記録された洗濯回数を任意に増加させることを特徴とする衣類情報記録装置。
【請求項２】
洗濯行程による衣類の傷み度合いに応じて上記洗濯回数の増加度合いを増減することを特徴とする請求項１記載の衣類情報記録装置。
【請求項３】
情報取得手段にて取得した、洗濯回数を含む前記情報記憶手段内の当該衣類の情報を表示する情報表示手段を有することを特徴とする請求項１または２記載の衣類情報記録装置。
【請求項４】
情報記憶手段に予め衣料の素材や縫製に応じた洗濯可能回数の目安を記録しておき、前記情報記憶手段により記録された洗濯回数と比較し洗濯回数の値の方が大きい場合は衣類の交換時期であることを表示することを特徴とする請求項１〜３のいずれか１項に記載の衣類情報記録装置。
【請求項５】
情報記録手段に記録する情報は洗濯行程に関する情報を含み、前記情報記録手段に記録する情報を設定する情報設定手段により、使用者が所望する洗濯行程を設定することを特徴とする請求項１〜４のいずれか１項に記載の衣類情報記録装置。
【請求項６】
洗濯時に前記情報取得手段により取得した前記情報記憶手段内の洗濯行程に関する情報と衣類洗濯装置より設定された洗濯行程とを比較する比較手段を備え、両者が異なる場合には使用者に報知する報知手段を有することを特徴とする請求項１〜５のいずれか１項に記載の衣類情報記録装置。
【請求項７】
請求項１〜６のいずれか１項に記載の衣類情報記録装置を備えたことを特徴とする衣類洗濯装置。
【請求項８】
衣類に付属され、当該衣類の識別情報が記録された商品タグと、前記商品タグに備えられた書き換え可能な情報記憶手段と、前記情報記憶手段から情報を取得する情報取得手段と、前記情報記憶手段へ情報を記録する情報記録手段とを備え、乾燥装置により当該衣類の乾燥が終了する毎に前記情報記録手段に記録された乾燥回数を任意に増加させることを特徴とする衣類情報記録装置。
【請求項９】
乾燥行程による衣類の傷み度合いに応じて上記乾燥回数の増加度合いを増減することを特徴とする請求項８記載の衣類情報記録装置。
【請求項１０】
情報取得手段にて取得した、乾燥回数を含む前記情報記憶手段内の当該衣類の情報を表示する情報表示手段を有することを特徴とする請求項８または９記載の衣類情報記録装置。
【請求項１１】
情報記憶手段に予め衣料の素材や縫製に応じた乾燥可能回数の目安を記録しておき、前記情報記憶手段により記録された乾燥回数と比較し乾燥回数の値の方が大きい場合は衣類の交換時期であることを表示することを特徴とする請求項８〜１０のいずれか１項に記載の衣類情報記録装置。
【請求項１２】
情報記録手段に記録する情報は乾燥行程に関する情報を含み、前記情報記録手段に記録する情報を設定する情報設定手段により、使用者が所望する乾燥行程を設定することを特徴とする請求項８〜１１のいずれか１項に記載の衣類情報記録装置。
【請求項１３】
乾燥時に前記情報取得手段により取得した前記情報記憶手段内の乾燥行程に関する情報と衣類乾燥装置より設定された乾燥行程とを比較する比較手段を備え、両者が異なる場合には使用者に報知する報知手段を有することを特徴とする請求項８〜１２のいずれか１項に記載の衣類情報記録装置。
【請求項１４】
請求項８〜１３のいずれか１項に記載の衣類情報記録装置を備えたことを特徴とする衣類乾燥装置。
【請求項１５】
請求項７に記載の衣類洗濯装置と、請求項１４に記載の衣類乾燥装置の機能を併せ持つことを特徴とする一体型衣類洗濯乾燥機。
【発明の詳細な説明】
【技術分野】
【０００１】
本発明は、家庭用または業務用の衣類情報記録装置、衣類洗濯装置、衣類乾燥装置、および一体型衣類洗濯乾燥装置に関するものである。
【背景技術】
【０００２】
従来、衣類の寿命の目安として利用するために当該衣類毎の洗濯回数を記録する洗濯回数記録装置が考案されている。この種の洗濯回数記録装置は、衣類に商品タグを設け、洗濯を行う毎に商品タグのメモリ部に記録されている洗濯回数を１回繰り上げられるというものであった（例えば、特許文献１参照）。
【０００３】
図２は、前記文献に記載された従来の洗濯回数記録装置の動作を示す洗濯工場の工程図である。図２において、衣類１には商品タグ２が付されている。洗濯工場３では、集配部門に属する集配車が貸与先から回収してきた制服を受け取る入荷受付部門４、入荷した制服１を仕分ける仕分け部門５、制服１を仕分け部門５で仕分けられた群れ毎に洗濯する洗濯装置６、検査部門７、出荷部門８からなっており、前記商品タグ２と通信してＩＤ情報を取得するための第１のリーダライタ９が前記入荷部門４に設けられ、同じく洗濯回数を取得し、該洗濯回数に１を加算した値を商品タグ２に書き込む第２のリーダライタ１０が洗濯装置６の入口部分に設けられている。また、第２のリーダライタ１０によって取得した洗濯回数が予め書き込まれた洗濯可能回数の目安を超えた場合、表示部１１にその旨表示する構成となっている。
【特許文献１】特開２００１−８００号公報
【発明の開示】
【発明が解決しようとする課題】
【０００４】
しかしながら、前記従来の構成では、特定の洗濯装置において特定の洗濯行程を行った場合しか考慮されていない。同じ１回の洗濯であっても例えば「デリケートコース」や「ソフト洗い」と呼ばれるような衣類の傷つきにくさに重点を置いた洗濯行程の場合は衣類の傷み度合いは低く、逆に「スピード洗濯コース」や「強力洗濯コース」と呼ばれるような時間短縮や汚れを落とすことに重点を置いた洗濯行程の場合は衣類の傷み度合いは高くなる。これらを全て１回の洗濯回数として加算していき、洗濯可能回数の目安に到達した時点でその旨表示しても実際の衣類の傷み度合いを正確に反映することはできない。
【０００５】
また、洗濯装置による洗濯から乾燥、プレスまでの一連の動作の完了を持って洗濯回数を１回加算させているため、洗濯のみ、または衣類乾燥装置による乾燥のみを行った場合には実際の衣類の傷み度合いが洗濯回数に反映できない。
【０００６】
本発明は、前記従来の課題を解決するもので、衣類の状態を正確に反映した衣類情報記録装置、衣類洗濯装置、衣類乾燥装置、および一体型衣類洗濯乾燥装置を提供することを目的とする。
【課題を解決するための手段】
【０００７】
前記従来の課題を解決するために、本発明の衣類情報記録装置は、衣類に付属され、当該衣類の識別情報が記録された商品タグと、前記商品タグに備えられた書き換え可能な情報記憶手段と、前記情報記憶手段から情報を取得する情報取得手段と、前記情報記憶手段へ情報を記録する情報記録手段とを備え、衣類洗濯装置により当該衣類の洗濯が終了する毎に前記情報記録手段に記録された洗濯回数を任意に増加させる構成としたものである。
【０００８】
これによって、１回の洗濯行程に対して洗濯回数を任意に増加させることにより衣類の状態を正確に反映した衣類情報記録装置を提供することが可能となる。
【０００９】
また、本発明の衣類情報記録装置は、衣類に付属され、当該衣類の識別情報が記録された商品タグと、前記商品タグに備えられた書き換え可能な情報記憶手段と、前記情報記憶手段から情報を取得する情報取得手段と、前記情報記憶手段へ情報を記録する情報記録手段とを備え、乾燥装置により当該衣類の乾燥が終了する毎に前記情報記録手段に記録された乾燥回数を任意に増加させる構成としたものである。
【００１０】
これによって、１回の乾燥行程に対して乾燥回数を任意に増加させることにより衣類の状態を正確に反映した衣類情報記録装置を提供することが可能となる。
【発明の効果】
【００１１】
本発明の衣類情報記録装置は、衣類の状態を正確に反映した衣類情報記録装置を提供することができる。
【発明を実施するための最良の形態】
【００１２】
第１の発明は、衣類に付属され、当該衣類の識別情報が記録された商品タグと、前記商品タグに備えられた書き換え可能な情報記憶手段と、前記情報記憶手段から情報を取得する情報取得手段と、前記情報記憶手段へ情報を記録する情報記録手段とを備え、衣類洗濯装置により当該衣類の洗濯が終了する毎に前記情報記録手段に記録された洗濯回数を任意に増加させることにより、１回の洗濯行程に対して洗濯回数を任意に増加させることとなり、衣類の状態を正確に反映した衣類情報記録装置を提供することができる。
【００１３】
第２の発明は、第１の発明の衣類情報記録装置を、洗濯行程による衣類の傷み度合いに応じて上記乾燥回数の増加度合いを増減することにより、該洗濯行程での衣類の傷み度合いに応じて洗濯回数を増加させることとなり、衣類の状態を正確に反映した衣類情報記録装置を提供することができる。
【００１４】
第３の発明は、第１の発明または第２の発明の衣類情報記録装置を、情報取得手段にて取得した、洗濯回数を含む前記情報記憶手段内の当該衣類の情報を表示する情報表示手段を有することにより、洗濯回数を使用者に伝えることができ、衣類の状態を使用者に正確に伝達する衣類情報記録装置を提供することができる。
【００１５】
第４の発明は、第１〜第３のいずれか１つの発明の衣類情報記録装置を、情報記憶手段に予め衣料の素材や縫製に応じた洗濯可能回数の目安を記録しておき、前記情報記憶手段により記録された洗濯回数と比較し洗濯回数の値の方が大きい場合は衣類の交換時期であることを表示することにより、衣類の交換時期を使用者に伝達することが可能となり、衣類の正確な交換時期を使用者に伝達する衣類情報記録装置を提供することができる。
【００１６】
第５の発明は、第１〜第４のいずれか１つの発明の衣類情報記録装置を、情報記録手段に記録する情報は洗濯行程に関する情報を含み、前記情報記録手段に記録する情報を設定する情報設定手段により、使用者が所望する洗濯行程を設定することにより、情報記憶手段に洗濯行程を記録することができ、使用者の所望する洗濯行程を記録する衣類情報記録装置を提供することができる。
【００１７】
第６の発明は、第１〜第５のいずれか１つの発明の衣類情報記録装置を、洗濯時に前記情報取得手段により取得した前記情報記憶手段内の洗濯行程に関する情報と衣類洗濯装置より設定された洗濯行程とを比較する比較手段を備え、両者が異なる場合には使用者に報知する報知手段を有することにより、洗濯行程の確認を使用者に促すことが可能となり、衣類の適切な洗濯行程を設定させる衣類情報記録装置を提供することができる。
【００１８】
第７の発明は、第１〜第６のいずれか１つの発明の衣類情報記録装置を、衣類洗濯装置に備えることにより、設置面積や配線を削減することができ、衣類の状態を正確に反映した衣類洗濯装置を提供することができる。
【００１９】
第８の発明は、衣類に付属され、当該衣類の識別情報が記録された商品タグと、前記商品タグに備えられた書き換え可能な情報記憶手段と、前記情報記憶手段から情報を取得する情報取得手段と、前記情報記憶手段へ情報を記録する情報記録手段とを備え、衣類乾燥装置により当該衣類の乾燥が終了する毎に前記情報記録手段に記録された乾燥回数を任意に増加させることにより、１回の乾燥行程に対して乾燥回数を任意に増加させることとなり、衣類の状態を正確に反映した衣類情報記録装置を提供することができる。
【００２０】
第９の発明は、第８の発明の衣類情報記録装置を、乾燥行程による衣類の傷み度合いに応じて上記乾燥回数の増加度合いを増減することにより、該乾燥行程での衣類の傷み度合いに応じて乾燥回数を増加させることとなり、衣類の状態を正確に反映した衣類情報記録装置を提供することができる。
【００２１】
第１０の発明は、第８または第９の発明の衣類情報記録装置を、情報取得手段にて取得した、乾燥回数を含む前記情報記憶手段内の当該衣類の情報を表示する情報表示手段を有することにより、乾燥回数を使用者に伝えることができ、衣類の状態を使用者に正確に伝達する衣類情報記録装置を提供することができる。
【００２２】
第１１の発明は、第８〜第１０のいずれか１つの発明の衣類情報記録装置を、情報記憶手段に予め衣料の素材や縫製に応じた乾燥可能回数の目安を記録しておき、前記情報記憶手段により記録された乾燥回数と比較し乾燥回数の値の方が大きい場合は衣類の交換時期であることを表示することにより、衣類の交換時期を使用者に伝達することが可能となり、衣類の正確な交換時期を使用者に伝達する衣類情報記録装置を提供することができる。
【００２３】
第１２の発明は、第８〜第１１のいずれか１つの発明の衣類情報記録装置を、情報記録手段に記録する情報は乾燥行程に関する情報を含み、前記情報記録手段に記録する情報を設定する情報設定手段により、使用者が所望する乾燥行程を設定することにより、情報記憶手段に洗濯行程を記録することができ、使用者の所望する乾燥行程を記録する衣類情報記録装置を提供することができる。
【００２４】
第１３の発明は、第８〜第１２のいずれか１つの発明の衣類情報記録装置を、乾燥時に前記情報取得手段により取得した前記情報記憶手段内の乾燥行程に関する情報と衣類乾燥装置より設定された乾燥行程とを比較する比較手段を備え、両者が異なる場合には使用者に報知する報知手段を有することにより、乾燥行程の確認を使用者に促すことが可能となり、衣類の適切な乾燥行程を設定させる衣類情報記録装置を提供することができる。
【００２５】
第１４の発明は、第８〜第１３のいずれか１つの発明の衣類情報記録装置を衣類乾燥装置に備えることにより、設置面積や配線を削減することができ、衣類の状態を正確に反映した衣類乾燥装置を提供することができる。
【００２６】
第１５の発明は、第７の発明の衣類洗濯装置と第１４の発明の衣類乾燥装置の機能を併せ持つ一体型衣類洗濯乾燥装置に備えることにより、設置面積や配線、配管を削減することができ、衣類の状態を正確に反映した一体型衣類洗濯乾燥装置を提供することができる。
【００２７】
以下、本発明の実施の形態について、図面を参照しながら説明する。なお、本実施の形態によって本発明が限定されるものではない。
【００２８】
（実施の形態１）
図１は、本発明の第１の実施の形態における衣類情報記録装置の構成図を示すものである。
【００２９】
図１において、商品タグ２は情報記憶手段１２を備え、当該衣類の識別情報や洗濯回数、乾燥回数等の情報を記憶している。衣類情報記録装置１３は情報記憶手段１２から情報を取得する情報取得手段１４と、情報記憶手段へ情報を記録する情報記録手段１５とを備え、無線または有線の通信により商品タグ２と情報をやりとりする。情報表示手段１６は情報取得手段１４により取得した情報記憶手段１２内の情報を表示する。情報設定手段１７は情報記録手段にて情報記憶手段１２へ記録する情報の内容を設定する。
【００３０】
洗濯行程設定手段１８は衣類洗濯装置１９の洗濯行程を設定する。比較手段２０は情報取得手段１４にて取得した情報記憶手段１２内の洗濯行程に関する情報と洗濯行程設定手段１８にて設定された洗濯行程を比較し、両者が異なる場合は報知手段２１にて報知する。
【００３１】
乾燥工程設定手段２２は衣類乾燥装置２３の乾燥工程を設定する。比較手段２０は情報取得手段１４にて取得した情報記憶手段１２内の乾燥行程に関する情報と洗濯行程設定手段２２にて設定された乾燥行程を比較し、両者が異なる場合は報知手段２１にて報知する。
【００３２】
以上のように構成された衣類情報記録装置について、以下その動作、作用を説明する。まず、衣類の洗濯を行う場合は、衣類洗濯装置１８に衣類を投入する際、衣類に付属している商品タグ２と衣類情報記録装置１３を接触または近接させ、情報取得手段１４にて情報記憶手段１２内の情報を取得する。取得する情報は、当該衣類の識別情報、洗濯回数と該衣類に対して使用者が所望する洗濯行程等である。情報表示手段１６には情報取得手段１４にて取得された情報が表示され、使用者が確認することができる。この時、使用者が所望する洗濯行程等、使用者が任意に設定できる情報については情報設定手段１７にて設定することが可能である。
【００３３】
次に、衣類洗濯装置１９に備えられた洗濯行程設定手段１８により洗濯行程の設定を行う。この時、比較手段２０は洗濯行程設定手段１８により設定された洗濯行程と情報取得手段１４にて取得した使用者が所望する洗濯行程とを比較し、両者が異なる場合は報知手段２１により報知する。同時に情報表示手段１６にてその旨表示することも可能である。複数の衣類を一度に洗濯する場合は、全ての衣類について両者を比較し、異なる衣類が１つ以上ある場合は報知手段２１により報知する。同時に情報表示手段１６にて設定の異なる衣類の識別情報と設定内容を表示する構成とすれば使用者が設定の異なる衣服を容易に認識でき好ましい。報知が行われた場合、使用者は、そのまま洗濯行程を実行するか、または衣類洗濯装置１９の洗濯行程の設定を変更するか商品タグ２内の情報記憶手段１２内の洗濯行程に関する情報を変更する等の対応を行った後洗濯行程を開始する。
【００３４】
洗濯行程が終了した後に衣類洗濯装置１９から取り出す際、再び情報取得手段１４にて情報記憶手段１２内の情報を取得し、衣類洗濯装置１９で行われた洗濯行程に応じた値を洗濯回数に加算し、情報記録手段１５にて記録する。「洗濯行程に応じた値」とは、例えば標準的な洗濯行程なら１回、時間短縮や強力な洗濯効果を目的とした洗濯行程なら１．５回、衣類の傷つきにくさに重点を置いたコースなら０．５回などとすればよい。
【００３５】
以上のように、本実施の形態において、衣類に付属され、当該衣類の識別情報が記録された商品タグ２と、前記商品タグ２に備えられた書き換え可能な情報記憶手段１２と、前記情報記憶手段１２から情報を取得する情報取得手段１４と、前記情報記憶手段１４へ情報を記録する情報記録手段１５とを備え、衣類洗濯装置１９により当該衣類の洗濯が終了する毎に前記情報記録手段１５に記録された洗濯回数を任意に増加させることより、１回の洗濯行程に対して洗濯回数を任意に増加させることとなり、衣類の状態を正確に反映した衣類情報記録装置を提供することができる。
【００３６】
また、洗濯行程の前後において情報取得手段１４にて取得した洗濯回数と洗濯可能回数の目安を比較し、洗濯回数の方が大きい場合は衣類の交換時期が到来した旨情報表示手段１６にて表示することにより、使用者に伝達することが可能である。
【００３７】
また、本実施の形態の衣類情報記録装置１３と衣類洗濯装置１９を一体化することにより、設置面積や配線等を削減することができ、使用者の利便性は向上する。
【００３８】
また、衣類乾燥装置２３を使用して衣類を乾燥する場合も同様であり、乾燥回数と乾燥可能回数の目安、使用者が所望する乾燥工程等の情報をやりとりし、必要に応じて情報設定手段１７にて情報の設定を行ったり、情報表示手段１６を用いて使用者に情報の伝達を行ったり、報知手段２１を用いて使用者に対して報知を行ったりすることが可能である。
【００３９】
また、本実施の形態の衣類情報記録装置１３と衣類乾燥装置２３を一体化することにより、設置面積や配線等を削減することができ、使用者の利便性は向上する。
【００４０】
また、本実施の形態の衣類情報記録装置１３と衣類洗濯装置１９と衣類乾燥装置２３を一体化することにより、さらに設置面積や配線、配管等を削減することができ、使用者の利便性は向上する。
【産業上の利用可能性】
【００４１】
以上のように、本発明にかかる衣類情報記録装置は、１回の洗濯行程に対して洗濯回数を任意に増加させることが可能となるので、家庭用または業務用の衣類情報記録装置、衣類洗濯機、衣類乾燥機、一体型衣類洗濯乾燥機等の用途にも適用できる。
【図面の簡単な説明】
【００４２】
【図１】本発明の実施の形態１における衣類情報記録装置の構成図
【図２】従来の洗濯回数記録装置の動作を示す洗濯工場の工程図
【符号の説明】
【００４３】
１  衣類
２  商品タグ
１２  情報記憶手段
１３  衣類情報記録装置
１４  情報取得手段
１５  情報記録手段
１６  情報表示手段
１７  情報設定手段
１８  洗濯行程設定手段
１９  衣類洗濯装置
２０  比較手段
２１  報知手段
２２  乾燥工程設定手段
２３  衣類乾燥装置
【図１】
2005111038.tif 000003
【図２】
2005111038.tif 000004